(57)【要約】【課題】動画を再生する構成において、ユーザの画像探索の使用感を向上させることが可能な動画再生装置、動画再生システム、動画再生方法および動画再生プログラムを提供する。【解決手段】動画再生装置１０１は、動画の再生処理を行なうための再生処理部１２と、動画の再生位置を表示する操作領域６３であって、かつ上記再生位置を変更するための操作領域６３を含む動画再生画面を表示するための表示制御部１３と、再生処理部１２は、再生モードにおいて、操作領域６３に対するユーザの操作が所定条件を満たすとシークモードへ移行し、シークモードにおいて、操作領域６３に対するユーザの操作に応じて動画の早送り再生処理または早戻し再生処理を行なう。【選択図】図２
2014107661.tif 000002
【特許請求の範囲】
【請求項１】
動画の再生処理を行なうための再生処理部と、
動画の再生位置を表示する操作領域であって、かつ前記再生位置を変更するための操作領域を含む動画再生画面を表示するための表示制御部と、
前記再生処理部は、再生モードにおいて、前記操作領域に対するユーザの操作が所定条件を満たすとシークモードへ移行し、前記シークモードにおいて、前記操作領域に対するユーザの操作に応じて動画の早送り再生処理または早戻し再生処理を行なう、動画再生装置。
【請求項２】
前記動画再生装置は、さらに、
前記シークモードにおいて、前記操作領域におけるユーザの選択位置の変化を検出するための操作検出部を備え、
前記再生処理部は、前記シークモードにおいて、前記操作検出部によって検出された前記選択位置の変化に基づいて、動画の早送り再生処理または早戻し再生処理において前記動画再生画面に表示すべき画像を選択する、請求項１に記載の動画再生装置。
【請求項３】
前記操作検出部は、前記シークモードにおいて、前記選択位置の移動速度および移動方向を検出し、
前記再生処理部は、前記シークモードにおいて、前記操作検出部によって検出された前記移動速度および前記移動方向に基づいて、前記選択位置の移動先を予測し、予測した前記移動先に対応する画像を、動画の早送り再生処理または早戻し再生処理において前記動画再生画面に表示すべき画像として選択する、請求項２に記載の動画再生装置。
【請求項４】
前記動画再生装置は、ネットワークを介して他の装置から動画を受信し、
前記再生処理部は、前記シークモードへの移行後、前記動画再生画面において表示すべき画像を前記他の装置から取得し、取得した前記画像を用いて動画の早送り再生処理または早戻し再生処理を行なう、請求項１から請求項３のいずれか１項に記載の動画再生装置。
【請求項５】
前記再生処理部は、前記ネットワークを介したデータの伝送遅延に基づいて、動画の早送り再生処理または早戻し再生処理において単位時間当たりに表示すべき前記画像の数を決定して前記他の装置から取得する、請求項４に記載の動画再生装置。
【請求項６】
前記再生処理部は、前記シークモードにおいて、前記操作領域に対するユーザの操作が所定条件を満たすと前記再生モードへ移行し、動画の再生処理を行なう、請求項１から請求項５のいずれか１項に記載の動画再生装置。
【請求項７】
動画を送信するためのサーバと、前記サーバから送信された前記動画を受信して表示するための動画再生装置とを備える動画再生システムであって、
前記動画再生装置は、再生モードにおいて動画を前記サーバに要求し、
前記サーバは、前記要求を受けて、前記要求に対応する動画を送信し、
前記動画再生装置は、前記サーバから受信した前記動画の再生を開始し、
前記動画再生装置は、前記再生モードからシークモードに移行して前記動画を構成する複数の画像の一部を前記サーバに要求し、
前記サーバは、前記要求を受けて、前記要求に対応する画像を送信するステップと、
前記動画再生装置は、前記サーバから受信した前記画像を用いて前記動画の早送り再生処理または早戻し再生処理を行なう、動画再生システム。
【請求項８】
動画再生装置における動画再生方法であって、
動画の再生位置を表示する操作領域であって、かつ前記再生位置を変更するための操作領域を含む動画再生画面を表示するステップと、
再生モードにおいて、前記操作領域に対するユーザの操作が所定条件を満たすとシークモードへ移行し、前記シークモードにおいて、前記操作領域に対するユーザの操作に応じて動画の早送り再生処理または早戻し再生処理を行なうステップとを含む、動画再生方法。
【請求項９】
動画を送信するためのサーバと、前記サーバから送信された前記動画を受信して表示するための動画再生装置とを備える動画再生システムにおける動画再生方法であって、
前記動画再生装置が、再生モードにおいて動画を前記サーバに要求するステップと、
前記サーバが、前記要求を受けて、前記要求に対応する動画を送信するステップと、
前記動画再生装置が、前記サーバから受信した前記動画の再生を開始するステップと、
前記動画再生装置が、前記再生モードからシークモードに移行して前記動画を構成する複数の画像の一部を前記サーバに要求するステップと、
前記サーバが、前記要求を受けて、前記要求に対応する画像を送信するステップと、
前記動画再生装置が、前記サーバから受信した前記画像を用いて前記動画の早送り再生処理または早戻し再生処理を行なうステップとを含む、動画再生方法。
【請求項１０】
動画再生装置において用いられる動画再生プログラムであって、コンピュータに、
動画の再生位置を表示する操作領域であって、かつ前記再生位置を変更するための操作領域を含む動画再生画面を表示するステップと、
再生モードにおいて、前記操作領域に対するユーザの操作が所定条件を満たすとシークモードへ移行し、前記シークモードにおいて、前記操作領域に対するユーザの操作に応じて動画の早送り再生処理または早戻し再生処理を行なうステップとを実行させるための、動画再生プログラム。
【発明の詳細な説明】
【技術分野】
【０００１】
本発明は、動画再生装置、動画再生システム、動画再生方法および動画再生プログラムに関し、特に、動画中の画像探索機能を提供する動画再生装置、動画再生システム、動画再生方法および動画再生プログラムに関する。
【背景技術】
【０００２】
従来、動画を閲覧可能なＷｅｂサイトが提供されており、様々な機能拡張が継続されている。たとえば、ＹｏｕＴｕｂｅ（登録商標）では、ユーザの視聴したい場面の探索が容易となるように、また、動画の内容把握が容易となるように、シークバーにサムネイル表示機能を追加している。より詳細には、シークバーにカーソルを移動させると、カーソル位置の再生時間に加えてサムネイルが表示され、カーソルの移動に伴いサムネイル画像が変化する（たとえば、”ＩＴｍｅｄｉａニュース”、［online］、［平成24年10月4日検索］、インターネット〈URL：http://www.itmedia.co.jp/news/articles/1203/07/news027.html〉（非特許文献１）参照）。
【先行技術文献】
【特許文献】
【０００３】
【非特許文献１】”ＩＴｍｅｄｉａニュース”、［online］、［平成24年9月14日検索］、インターネット〈URL：http://www.itmedia.co.jp/news/articles/1203/07/news027.html〉
【発明の概要】
【発明が解決しようとする課題】
【０００４】
しかしながら、非特許文献１に記載の技術では、通常の再生用のデータとは別にサムネイルをサーバ側から取得する必要があるため、特にコンテンツの視聴開始時においてサムネイルの表示に時間がかかる。また、サムネイルのための使用帯域はできるだけ少ない方が好ましいことから、サムネイルのサイズは小さく設定され、見にくい場合が多く、ユーザの使用感は良くない。
【０００５】
この発明は、上述の課題を解決するためになされたもので、その目的は、動画を再生する構成において、ユーザの画像探索の使用感を向上させることが可能な動画再生装置、動画再生システム、動画再生方法および動画再生プログラムを提供することである。
【課題を解決するための手段】
【０００６】
（１）この発明のある局面に係わる動画再生装置は、動画の再生処理を行なうための再生処理部と、動画の再生位置を表示する操作領域であって、かつ上記再生位置を変更するための操作領域を含む動画再生画面を表示するための表示制御部と、上記再生処理部は、再生モードにおいて、上記操作領域に対するユーザの操作が所定条件を満たすとシークモードへ移行し、上記シークモードにおいて、上記操作領域に対するユーザの操作に応じて動画の早送り再生処理または早戻し再生処理を行なう。
【０００７】
このように、再生位置の指定等を行なうシーク処理と連携して早送り再生処理および早戻し再生処理を行なう構成により、ユーザの操作に応答して画像の要求および表示を行なうことができるため、ユーザの操作に対する応答性を向上させることができる。また、早送り再生処理および早戻し再生処理を利用する構成により、通常の再生処理と同等の画質を確保することができる。これにより、ユーザの視聴したい場面の探索がさらに容易となり、また、動画の内容把握がさらに容易となる。
【０００８】
非特許文献１に記載の技術のようにサムネイルを表示する場合には、サムネイルを、ストリームの送信側の装置においてストリームとは別に作成しておく必要がある。これに対して、上記のような構成により、早送り再生処理および早戻し再生処理を行なう構成により、既存の機能を流用することができるため、無駄な機能の追加を防ぎながら、表示画像の画質を向上させることができる。
【０００９】
また、早送り再生処理および早戻し再生処理は、通常の再生処理と比べて画像が間引いて伝送されるため、ユーザの画像探索による伝送帯域の増大を抑制することができる。具体的には、ストリームがＨ．２６４規格に従う場合、通常の再生処理における伝送レートはたとえば３０フレーム／秒である。この場合、早送り再生処理および早戻し再生処理において、たとえばＩフレームを２つ送信および表示するだけで済み、使用帯域を少なくすることができる。
【００１０】
また、通常の早送り再生処理および早戻し再生処理では、動画の最初から、あるいは再生ポインタの位置から画像を見ていく必要がある。また、たとえば早送り再生処理において画像の再生位置が所望の位置を過ぎてしまった場合に、巻き戻し操作が煩雑となる場合が多い。これに対して、上記のような構成により、操作領域に対する簡易な操作で、ユーザが任意の再生位置から、任意の速度で画像を表示することができる。
【００１１】
（２）好ましくは、上記動画再生装置は、さらに、上記シークモードにおいて、上記操作領域におけるユーザの選択位置の変化を検出するための操作検出部を備え、上記再生処理部は、上記シークモードにおいて、上記操作検出部によって検出された上記選択位置の変化に基づいて、動画の早送り再生処理または早戻し再生処理において上記動画再生画面に表示すべき画像を選択する。
【００１２】
このように、ユーザの選択位置の変化に基づいて、早送り再生処理または早戻し再生処理において表示すべき画像を選択する構成により、ユーザの使用感をより向上させることができる。
【００１３】
（３）より好ましくは、上記操作検出部は、上記シークモードにおいて、上記選択位置の移動速度および移動方向を検出し、上記再生処理部は、上記シークモードにおいて、上記操作検出部によって検出された上記移動速度および上記移動方向に基づいて、上記選択位置の移動先を予測し、予測した上記移動先に対応する画像を、動画の早送り再生処理または早戻し再生処理において上記動画再生画面に表示すべき画像として選択する。
【００１４】
このような構成により、ユーザの選択位置の移動速度および移動方向に基づいて、早送り再生処理または早戻し再生処理において表示すべき画像を正確に予測し、予め取得することができるため、ユーザに画像表示の遅延を感じさせることを防ぐことができる。すなわち、早送り再生処理および早戻し再生処理において上質な画像表示を実現することができる。
【００１５】
（４）好ましくは、上記動画再生装置は、ネットワークを介して他の装置から動画を受信し、上記再生処理部は、上記シークモードへの移行後、上記動画再生画面において表示すべき画像を上記他の装置から取得し、取得した上記画像を用いて動画の早送り再生処理または早戻し再生処理を行なう。
【００１６】
このように、シークモードへの移行後に、早送り再生処理または早戻し再生処理において表示すべき画像を取得する構成により、再生モードにおいて画像を無駄に保存しておく必要がなくなり、メモリの使用効率を向上させることができる。
【００１７】
（５）より好ましくは、上記再生処理部は、上記ネットワークを介したデータの伝送遅延に基づいて、動画の早送り再生処理または早戻し再生処理において単位時間当たりに表示すべき上記画像の数を決定して上記他の装置から取得する。
【００１８】
このような構成により、ネットワークの伝送遅延および動画提供側の反応に応じて単位時間当たりの画像の表示数を適切に設定することができるため、早送り再生処理または早戻し再生処理における画像の表示遅延を防ぎ、ユーザの使用感を向上させることができる。
【００１９】
（６）好ましくは、上記再生処理部は、上記シークモードにおいて、上記操作領域に対するユーザの操作が所定条件を満たすと上記再生モードへ移行し、動画の再生処理を行なう。
【００２０】
このような構成により、再生モードおよびシークモード間の移行をユーザの操作内容に応じて適切に行なうことができる。
【００２１】
（７）この発明のある局面に係わる動画再生システムは、動画を送信するためのサーバと、上記サーバから送信された上記動画を受信して表示するための動画再生装置とを備える動画再生システムであって、上記動画再生装置は、再生モードにおいて動画を上記サーバに要求し、上記サーバは、上記要求を受けて、上記要求に対応する動画を送信し、上記動画再生装置は、上記サーバから受信した上記動画の再生を開始し、上記動画再生装置は、上記再生モードからシークモードに移行して上記動画を構成する複数の画像の一部を上記サーバに要求し、上記サーバは、上記要求を受けて、上記要求に対応する画像を送信するステップと、上記動画再生装置は、上記サーバから受信した上記画像を用いて上記動画の早送り再生処理または早戻し再生処理を行なう。
【００２２】
このように、早送り再生処理および早戻し再生処理を利用する構成により、通常の再生処理と同等の画質を確保することができる。これにより、ユーザの視聴したい場面の探索がさらに容易となり、また、動画の内容把握がさらに容易となる。
【００２３】
非特許文献１に記載の技術のようにサムネイルを表示する場合には、サムネイルを、ストリームの送信側の装置においてストリームとは別に作成しておく必要がある。これに対して、上記のような構成により、早送り再生処理および早戻し再生処理を行なう構成により、既存の機能を流用することができるため、無駄な機能の追加を防ぎながら、表示画像の画質を向上させることができる。
【００２４】
また、早送り再生処理および早戻し再生処理は、通常の再生処理と比べて画像が間引いて伝送されるため、ユーザの画像探索による伝送帯域の増大を抑制することができる。具体的には、ストリームがＨ．２６４規格に従う場合、通常の再生処理における伝送レートはたとえば３０フレーム／秒である。この場合、早送り再生処理および早戻し再生処理において、たとえばＩフレームを２つ送信および表示するだけで済み、使用帯域を少なくすることができる。
【００２５】
（８）この発明のある局面に係わる動画再生方法は、動画再生装置における動画再生方法であって、動画の再生位置を表示する操作領域であって、かつ上記再生位置を変更するための操作領域を含む動画再生画面を表示するステップと、再生モードにおいて、上記操作領域に対するユーザの操作が所定条件を満たすとシークモードへ移行し、上記シークモードにおいて、上記操作領域に対するユーザの操作に応じて動画の早送り再生処理または早戻し再生処理を行なうステップとを含む。
【００２６】
このように、再生位置の指定等を行なうシーク処理と連携して早送り再生処理および早戻し再生処理を行なう構成により、ユーザの操作に応答して画像の要求および表示を行なうことができるため、ユーザの操作に対する応答性を向上させることができる。また、早送り再生処理および早戻し再生処理を利用する構成により、通常の再生処理と同等の画質を確保することができる。これにより、ユーザの視聴したい場面の探索がさらに容易となり、また、動画の内容把握がさらに容易となる。
【００２７】
非特許文献１に記載の技術のようにサムネイルを表示する場合には、サムネイルを、ストリームの送信側の装置においてストリームとは別に作成しておく必要がある。これに対して、上記のような構成により、早送り再生処理および早戻し再生処理を行なう構成により、既存の機能を流用することができるため、無駄な機能の追加を防ぎながら、表示画像の画質を向上させることができる。
【００２８】
また、早送り再生処理および早戻し再生処理は、通常の再生処理と比べて画像が間引いて伝送されるため、ユーザの画像探索による伝送帯域の増大を抑制することができる。具体的には、ストリームがＨ．２６４規格に従う場合、通常の再生処理における伝送レートはたとえば３０フレーム／秒である。この場合、早送り再生処理および早戻し再生処理において、たとえばＩフレームを２つ送信および表示するだけで済み、使用帯域を少なくすることができる。
【００２９】
また、通常の早送り再生処理および早戻し再生処理では、動画の最初から、あるいは再生ポインタの位置から画像を見ていく必要がある。また、たとえば早送り再生処理において画像の再生位置が所望の位置を過ぎてしまった場合に、巻き戻し操作が煩雑となる場合が多い。これに対して、上記のような構成により、操作領域に対する簡易な操作で、ユーザが任意の再生位置から、任意の速度で画像を表示することができる。
【００３０】
（９）またこの発明の別の局面に係わる動画再生方法は、動画を送信するためのサーバと、上記サーバから送信された上記動画を受信して表示するための動画再生装置とを備える動画再生システムにおける動画再生方法であって、上記動画再生装置が、再生モードにおいて動画を上記サーバに要求するステップと、上記サーバが、上記要求を受けて、上記要求に対応する動画を送信するステップと、上記動画再生装置が、上記サーバから受信した上記動画の再生を開始するステップと、上記動画再生装置が、上記再生モードからシークモードに移行して上記動画を構成する複数の画像の一部を上記サーバに要求するステップと、上記サーバが、上記要求を受けて、上記要求に対応する画像を送信するステップと、上記動画再生装置が、上記サーバから受信した上記画像を用いて上記動画の早送り再生処理または早戻し再生処理を行なうステップとを含む。
【００３１】
このように、早送り再生処理および早戻し再生処理を利用する構成により、通常の再生処理と同等の画質を確保することができる。これにより、ユーザの視聴したい場面の探索がさらに容易となり、また、動画の内容把握がさらに容易となる。
【００３２】
非特許文献１に記載の技術のようにサムネイルを表示する場合には、サムネイルを、ストリームの送信側の装置においてストリームとは別に作成しておく必要がある。これに対して、上記のような構成により、早送り再生処理および早戻し再生処理を行なう構成により、既存の機能を流用することができるため、無駄な機能の追加を防ぎながら、表示画像の画質を向上させることができる。
【００３３】
また、早送り再生処理および早戻し再生処理は、通常の再生処理と比べて画像が間引いて伝送されるため、ユーザの画像探索による伝送帯域の増大を抑制することができる。具体的には、ストリームがＨ．２６４規格に従う場合、通常の再生処理における伝送レートはたとえば３０フレーム／秒である。この場合、早送り再生処理および早戻し再生処理において、たとえばＩフレームを２つ送信および表示するだけで済み、使用帯域を少なくすることができる。
【００３４】
（１０）この発明のある局面に係わる動画再生プログラムは、動画再生装置において用いられる動画再生プログラムであって、コンピュータに、動画の再生位置を表示する操作領域であって、かつ上記再生位置を変更するための操作領域を含む動画再生画面を表示するステップと、再生モードにおいて、上記操作領域に対するユーザの操作が所定条件を満たすとシークモードへ移行し、上記シークモードにおいて、上記操作領域に対するユーザの操作に応じて動画の早送り再生処理または早戻し再生処理を行なうステップとを実行させるためのプログラムである。
【００３５】
このように、再生位置の指定等を行なうシーク処理と連携して早送り再生処理および早戻し再生処理を行なう構成により、ユーザの操作に応答して画像の要求および表示を行なうことができるため、ユーザの操作に対する応答性を向上させることができる。また、早送り再生処理および早戻し再生処理を利用する構成により、通常の再生処理と同等の画質を確保することができる。これにより、ユーザの視聴したい場面の探索がさらに容易となり、また、動画の内容把握がさらに容易となる。
【００３６】
非特許文献１に記載の技術のようにサムネイルを表示する場合には、サムネイルを、ストリームの送信側の装置においてストリームとは別に作成しておく必要がある。これに対して、上記のような構成により、早送り再生処理および早戻し再生処理を行なう構成により、既存の機能を流用することができるため、無駄な機能の追加を防ぎながら、表示画像の画質を向上させることができる。
【００３７】
また、早送り再生処理および早戻し再生処理は、通常の再生処理と比べて画像が間引いて伝送されるため、ユーザの画像探索による伝送帯域の増大を抑制することができる。具体的には、ストリームがＨ．２６４規格に従う場合、通常の再生処理における伝送レートはたとえば３０フレーム／秒である。この場合、早送り再生処理および早戻し再生処理において、たとえばＩフレームを２つ送信および表示するだけで済み、使用帯域を少なくすることができる。
【００３８】
また、通常の早送り再生処理および早戻し再生処理では、動画の最初から、あるいは再生ポインタの位置から画像を見ていく必要がある。また、たとえば早送り再生処理において画像の再生位置が所望の位置を過ぎてしまった場合に、巻き戻し操作が煩雑となる場合が多い。これに対して、上記のような構成により、操作領域に対する簡易な操作で、ユーザが任意の再生位置から、任意の速度で画像を表示することができる。
【発明の効果】
【００３９】
本発明によれば、動画を再生する構成において、ユーザの画像探索の使用感を向上させることができる。
【図面の簡単な説明】
【００４０】
【図１】本発明の実施の形態に係る動画再生システムの構成を示す図である。
【図２】本発明の実施の形態に係る動画再生装置の構成を示す図である。
【図３】本発明の実施の形態に係る動画再生装置が提供する動画再生画面の一例を示す図である。
【図４】本発明の実施の形態に係る動画再生装置における再生モードおよびシークモードの動作手順を定めたフローチャートである。
【図５】本発明の実施の形態に係る動画再生装置が提供する動画再生画面におけるユーザの操作の一例を説明するための図である。
【図６】本発明の実施の形態に係る動画再生装置が提供する動画再生画面におけるユーザの操作の一例を説明するための図である。
【図７】本発明の実施の形態に係る動画再生システムにおける動画情報の送受信処理を示すシーケンス図である。
【図８】本発明の実施の形態に係る動画再生装置が提供する動画再生画面の他の例を示す図である。
【図９】本発明の実施の形態に係る動画再生装置が提供する動画再生画面の他の例を示す図である。
【発明を実施するための形態】
【００４１】
以下、本発明の実施の形態について図面を用いて説明する。なお、図中同一または相当部分には同一符号を付してその説明は繰り返さない。
【００４２】
［構成および基本動作］
図１は、本発明の実施の形態に係る動画再生システムの構成を示す図である。
【００４３】
図１を参照して、動画再生システム２０１は、たとえばＶＯＤシステムであり、ＶＯＤサーバ１５１と、動画再生装置１０１と、ディスプレイ１５２とを備える。
【００４４】
ＶＯＤサーバ１５１は、たとえば、１または複数の動画の情報を複数のパケットに分割したストリームを送信する。
【００４５】
動画再生装置１０１は、ネットワーク１６１経由で受信したストリームを処理する。より詳細には、動画再生装置１０１は、たとえばＳＴＢ（Set Top Box）であり、ＶＯＤサーバ１５１からストリームを受信し、当該ストリームから映像および音声をデコードし、ディスプレイ１５２において動画を再生する。なお、動画再生装置１０１は、ディスプレイ１５２を備える構成であってもよい。
【００４６】
図２は、本発明の実施の形態に係る動画再生装置の構成を示す図である。
【００４７】
図２を参照して、動画再生装置１０１は、受信部１１と、再生処理部１２と、表示制御部１３と、操作検出部１４と、送信部１７とを備える。
【００４８】
受信部１１は、ＶＯＤサーバ１５１から送信されるパケットを受信する。たとえば、受信部１１は、バッファを含み、受信したパケットを当該バッファに蓄積する。
【００４９】
再生処理部１２は、動画の再生処理を行なう。より詳細には、再生処理部１２は、受信部１１によって蓄積されたパケットに対して復号化処理を行なってビデオ信号を生成し、表示制御部１３へ出力する。また、再生処理部１２は、受信部１１によって受信されたパケットに対して復号化処理を行なってオーディオ信号を生成し、表示制御部１３へ出力する。
【００５０】
表示制御部１３は、ディスプレイ１５２の画面にＧＵＩを含む動画再生画面を表示する。表示制御部１３は、再生処理部１２から受けたビデオ信号およびオーディオ信号に基づいて、ディスプレイ１５２の画面において動画を表示し、かつディスプレイ１５２のスピーカから音声を出力する制御を行なう。
【００５１】
操作検出部１４は、ディスプレイ１５２の画面に表示されるＧＵＩに対するユーザの操作内容を検出し、検出結果を再生処理部１２および表示制御部１３に通知する。
【００５２】
また、再生処理部１２は、操作検出部１４から通知された操作内容に基づいて、再生対象のストリームまたは画像を決定し、決定したストリームまたは画像を示す要求情報を送信部１７経由でＶＯＤサーバ１５１へ送信する。
【００５３】
図３は、本発明の実施の形態に係る動画再生装置が提供する動画再生画面の一例を示す図である。
【００５４】
図３を参照して、表示制御部１３によってディスプレイ１５２に表示される動画再生画面６１は、動画表示領域６２と、操作領域６３と、カーソル６５とを含む。
【００５５】
表示制御部１３は、動画の再生位置を表示する操作領域６３であって、かつ当該再生位置を変更するための操作領域６３を含む動画再生画面６１を表示する。
【００５６】
操作領域６３は、たとえば、シークバー（Seek Bar）であり、動画表示領域６２の画面下方に表示される。より詳細には、操作領域６３は、横長の棒状の操作領域であり、現在の動画の再生位置を表示する。また、ユーザが操作領域６３における再生ポインタ６４をマウスでドラッグ等して移動させることにより、動画の再生位置を変更し、任意の位置から再生を開始することが可能である。たとえば、操作領域６３の左端が動画の最初に対応し、操作領域６３の右端が動画の最後に対応する。再生ポインタ６４は、動画の再生前は動画再生画面６１の左端に表示され、動画の再生が進むに従って動画再生画面６１の右端に移動していく。また、操作領域６３の下には、動画の再生位置を示す時間が表示される。
【００５７】
［動作］
次に、本発明の実施の形態に係る動画再生システムの動作について図面を用いて説明する。動画再生システム２０１における動画再生装置１０１およびＶＯＤサーバ１５１は、以下に示すフローチャートおよびシーケンスの各ステップを含むプログラムを図示しないメモリから読み出して実行する。このプログラムは、外部からインストールすることができる。
【００５８】
再生処理部１２は、再生モードにおいて、操作領域６３に対するユーザの操作が所定条件を満たすとシークモードへ移行し、シークモードにおいて、操作領域６３に対するユーザの操作に応じて動画の早送り再生処理または早戻し再生処理を行なう。
【００５９】
たとえば、再生処理部１２は、シークモードへの移行後、動画再生画面６１において表示すべき画像をＶＯＤサーバ１５１から取得し、取得した画像を用いて動画の早送り再生処理または早戻し再生処理を行なう。
【００６０】
また、再生処理部１２は、シークモードにおいて、操作領域６３に対するユーザの操作が所定条件を満たすと再生モードへ移行し、動画の再生処理を行なう。
【００６１】
図４は、本発明の実施の形態に係る動画再生装置における再生モードおよびシークモードの動作手順を定めたフローチャートである。
【００６２】
図４を参照して、まず、動画再生装置１０１は、ユーザが画面上で動画コンテンツを選択すると（ステップＳ１）、再生モードへ移行する（ステップＳ２）。
【００６３】
次に、動画再生装置１０１は、動画再生画面６１をディスプレイ１５２に表示し（ステップＳ３）、通常の動画再生処理を行なう（ステップＳ４）。
【００６４】
次に、動画再生装置１０１は、動画再生画面６１におけるユーザの操作を監視し、ユーザがカーソル６５を操作領域６３上に移動させてマウスをクリックするまで（ステップＳ５でＮＯ）、通常の動画再生処理を継続する（ステップＳ４）。
【００６５】
一方、動画再生装置１０１は、動画再生画面６１において、ユーザがカーソル６５を操作領域６３上に移動させてマウスをクリックすると（ステップＳ５でＹＥＳ）、シークモードへ移行する。なお、動画再生装置１０１は、上記クリック状態が所定時間継続することをシークモードへの移行条件としてもよい（ステップＳ６）。
【００６６】
次に、動画再生装置１０１は、上記クリック位置に対応する画像をＶＯＤサーバ１５１から取得し、当該画像を動画表示領域６２に表示する（ステップＳ７）。
【００６７】
次に、動画再生装置１０１は、動画再生画面６１における再生ポインタ６４に対するユーザの操作を監視する。動画再生装置１０１は、動画再生画面６１において、ユーザが再生ポインタ６４をマウスでドラッグして移動させると（ステップＳ８でＹＥＳ）、再生ポインタ６４の移動速度および移動方向等の位置変化を検出する（ステップＳ９）。
【００６８】
次に、動画再生装置１０１は、動画再生画面６１において、動画を構成する複数の画像の一部、より詳細には、検出した位置変化に応じた１または複数の画像をＶＯＤサーバ１５１から取得して動画表示領域６２に順次表示する。動画再生装置１０１によって検出された再生ポインタ６４の移動方向に基づき、早送り再生処理および早戻し再生処理のいずれが行われることになる（ステップＳ１０）。
【００６９】
以降、動画再生装置１０１は、ユーザが再生ポインタ６４の移動を継続する場合（ステップＳ８でＹＥＳ）、再生ポインタ６４の位置変化の検出および画像の表示を繰り返す（ステップＳ９およびＳ１０）。
【００７０】
一方、動画再生装置１０１は、動画再生画面６１において、ユーザによる再生ポインタ６４の移動が検出されない場合であって（ステップＳ８でＮＯ）、再生ポインタ６４がクリックされている状態が継続しているときには（ステップＳ１１でＹＥＳ）、ユーザによる再生ポインタ６４の移動を検出するまで待機する。
【００７１】
また、動画再生装置１０１は、動画再生画面６１において、ユーザによる再生ポインタ６４の移動が検出されない場合であって（ステップＳ８でＮＯ）、ユーザが再生ポインタ６４のクリック状態を解除した場合には（ステップＳ１１でＮＯ）、再生モードへ移行し（ステップＳ２）、通常の動画再生処理を再開する（ステップＳ４）。具体的には、ユーザが再生ポインタ６４をスライドさせた後にマウスから手を離していれば、再生モードへ移行し、自動的に通常の動画再生が開始される。
【００７２】
図５は、本発明の実施の形態に係る動画再生装置が提供する動画再生画面におけるユーザの操作の一例を説明するための図である。
【００７３】
図５を参照して、動画再生画面６１において、ユーザがカーソル６５を操作領域６３上に移動させ、マウスをクリックすると、再生処理部１２は、クリック位置に対応する画像、ここでは動画の最初から１０分の位置に対応する画像をＶＯＤサーバ１５１に要求し、ＶＯＤサーバ１５１から受信した当該画像を表示制御部１３へ出力する。そして、表示制御部１３は、再生処理部１２から受けた画像を動画表示領域６２に表示する。また、表示制御部１３は、再生ポインタ６４を上記クリック位置へ移動させる。
【００７４】
図６は、本発明の実施の形態に係る動画再生装置が提供する動画再生画面におけるユーザの操作の一例を説明するための図である。
【００７５】
操作検出部１４は、シークモードにおいて、操作領域６３におけるユーザの選択位置の変化を検出する。
【００７６】
再生処理部１２は、シークモードにおいて、操作検出部１４によって検出された選択位置の変化に基づいて、動画の早送り再生処理または早戻し再生処理において動画再生画面６１に表示すべき画像を選択する。
【００７７】
より詳細には、たとえば、操作検出部１４は、ユーザによる再生ポインタ６４の位置変化を検出する。再生処理部１２は、操作検出部１４によって検出された位置変化すなわちユーザの操作に応じた１または複数の画像をＶＯＤサーバ１５１に要求し、ＶＯＤサーバ１５１から受信した当該画像を表示制御部１３へ順次出力する。そして、表示制御部１３は、再生処理部１２から受けた画像を動画表示領域６２に表示する。
【００７８】
具体的には、図６を参照して、図５で説明した操作の後、動画再生画面６１において、ユーザが、１０分の位置にある再生ポインタ６４をマウスでドラッグして１５分の位置に移動させる。
【００７９】
ここでは、ユーザが再生ポインタ６４の位置を１０分から１５分へ１秒間で移動させた場合を考える。この場合、ユーザは、１秒間で５分間分の早送り表示を希望していることから、再生処理部１２は、たとえば１０分から１５分における１分間隔の５つの画像、具体的には１１分，１２分，１３分，１４分，１５分の５つの画像を１秒間で順次表示する。再生処理部１２は、たとえば、これらの画像の表示間隔を、よりなめらかな再生表示が可能となるように一定に制御してもよいし、あるいは、ＶＯＤサーバ１５１から画像を受信するとすぐに当該画像を表示してもよい。
【００８０】
たとえば、ＶＯＤサーバ１５１から送信されるストリームがＨ．２６４規格に従う場合、再生処理部１２は、ストリームに含まれるＩフレームのみをＶＯＤサーバ１５１に要求して表示する。これにより、適切な画像データを伝送するとともに、通常の再生処理において表示される動画と同等の画像を表示することができる。
【００８１】
また、再生処理部１２は、たとえば、上記の例においてユーザによる再生ポインタ６４の移動開始から１秒後に１１分の画像の表示を開始するとユーザに遅延を感じさせる可能性がある場合、１秒よりも短い時間で移動速度等の検出および表示画像の決定を行なう構成であってもよい。
【００８２】
具体的には、再生処理部１２は、１秒当たり４つの画像を表示する場合、０．２５秒後に再生ポインタ６４がどの位置に存在するかを確認する。
【００８３】
たとえば、上記の例において再生ポインタ６４が０．２５秒後に１０分の再生位置から１２分の再生位置まで移動した場合、再生処理部１２は、ユーザが再生ポインタ６４をクリックしたタイミングで１０分の画像を表示し、０．２５秒後に１２分の画像の取得を開始して表示する。
【００８４】
このような構成により、ユーザの操作に対する感度を向上させることができる。たとえば、ユーザが再生ポインタ６４をゆっくり移動させていれば画像の更新間隔を長くし、また、ユーザが再生ポインタ６４を速く移動させていれば画像の更新間隔を短くすることができる。
【００８５】
［ユーザの選択位置の予測］
また、以下のような構成であってもよい。すなわち、操作検出部１４は、シークモードにおいて、ユーザの選択位置の移動速度および移動方向を検出する。
【００８６】
再生処理部１２は、シークモードにおいて、操作検出部１４によって検出された移動速度および移動方向に基づいて、ユーザの選択位置の移動先を予測する。そして、再生処理部１２は、予測した移動先に対応する画像を、動画の早送り再生処理または早戻し再生処理において動画再生画面６１に表示すべき画像として選択する。
【００８７】
具体的には、上記のように０．２５秒後に１２分の画像をＶＯＤサーバ１５１に要求しても、ネットワーク１６１における伝送遅延等により、実際に画像が表示されるまでに長時間を要する場合には、再生処理部１２は、たとえば０．１秒後に再生ポインタ６４がどの位置に存在するかを確認し、確認した位置に基づいて０．２５秒後における再生ポインタ６４の位置を予測し、予測した位置に対応する画像を予め取得する構成であってもよい。このような構成により、ユーザは、画像探索において素早い応答を得ることができる。
【００８８】
再生処理部１２は、ユーザが画像探索を終了した場合、すなわちカーソル６５が操作領域６３上から外れた場合、上記のような再生ポインタ６４の移動速度に基づく位置予測により取得した画像を廃棄する。
【００８９】
また、上記のような再生ポインタ６４の位置予測は、再生処理部１２がＶＯＤサーバ１５１に画像を要求してから当該画像を受信するまでのネットワーク１６１の伝送遅延分を補えれば十分である。
【００９０】
このため、たとえば、再生処理部１２は、１回の上記位置予測によってＶＯＤサーバ１５１から画像を１つだけ取得してもよい。
【００９１】
これにより、ユーザの探索操作から大きく離れた画像が誤って表示されたり、表示しない画像を無駄に取得したりすることを防ぐことができる。また、位置予測および画像の表示を並行に行なう確率が低くなり、処理負荷を低減することができる。
【００９２】
なお、再生処理部１２は、ＶＯＤサーバ１５１から動画再生装置１０１への画像の伝送遅延が許容範囲である場合、上記位置予測を行なわない構成としてもよい。具体的には、再生処理部１２が画像を要求してから実際にＶＯＤサーバ１５１から画像を受信するまでの時間が数１０ｍｓ〜数１００ｍｓ程度であれば、ユーザにおいて遅延を感じる可能性は低い。
【００９３】
あるいは、再生ポインタ６４の移動に伴う画像表示の最後の画像が適切なものであれば、途中で表示される画像の正確さは厳密には要求されない場合がある。このような場合、同様に、上記位置予測を行なわない構成としてもよい。
【００９４】
［ユーザの選択位置の予測］
再生処理部１２は、ネットワーク１６１を介したデータの伝送遅延に基づいて、動画の早送り再生処理または早戻し再生処理において単位時間当たりに表示すべき画像の数を決定し、ＶＯＤサーバ１５１から取得する構成であってもよい。
【００９５】
具体的には、１秒当たり４つの画像を表示している状態において、ネットワーク１６１の伝送遅延が大きい場合、１秒当たり５つ以上の画像を表示するように変更し、ＶＯＤサーバ１５１に要求する。
【００９６】
［音声出力の判断］
再生処理部１２は、再生ポインタ６４の移動速度に応じて、早送り再生処理および早戻し再生処理において音声を出力するか否かを判断する構成であってもよい。具体的には、たとえば、再生処理部１２は、早送り再生処理および早戻し再生処理の画像表示速度が通常の再生処理の２倍以内であれば、画像に合わせて音声を出力する。
【００９７】
図７は、本発明の実施の形態に係る動画再生システムにおける動画情報の送受信処理を示すシーケンス図である。
【００９８】
図７を参照して、まず、動画再生装置１０１は、たとえばユーザの操作に従って再生モードで動作を開始し、ユーザの選択したストリームを示すストリーム要求をＶＯＤサーバ１５１へ送信する（ステップＳ２１）。
【００９９】
次に、ＶＯＤサーバ１５１は、動画再生装置１０１からストリーム要求を受信して、当該ストリーム要求の示すストリームを動画再生装置１０１へ送信する（ステップＳ２２）。
【０１００】
次に、動画再生装置１０１は、ＶＯＤサーバ１５１から受信したストリームの再生処理を行なう（ステップＳ２３）。
【０１０１】
次に、動画再生装置１０１は、たとえばユーザによる操作領域６３に対する操作に従ってシークモードへ移行する（ステップＳ２４）。
【０１０２】
次に、動画再生装置１０１は、当該ストリームに含まれる画像であって、シークモードにおいて最初に表示すべき画像を示す画像要求をＶＯＤサーバ１５１へ送信する（ステップＳ２５）。
【０１０３】
次に、ＶＯＤサーバ１５１は、動画再生装置１０１から画像要求を受信して、当該画像要求に対応する画像を動画再生装置１０１へ送信する（ステップＳ２６）。
【０１０４】
次に、動画再生装置１０１は、ＶＯＤサーバ１５１から受信した画像をディスプレイ１５２の画面に表示する（ステップＳ２７）。
【０１０５】
次に、動画再生装置１０１は、ユーザによる再生ポインタ６４の移動操作によって動画の早送り再生処理または早戻し再生処理を開始することを決定し、再生ポインタ６４の位置変化に応じて、新たに表示すべき画像を決定する（ステップＳ２８）。
【０１０６】
次に、動画再生装置１０１は、決定した画像を示す画像要求をＶＯＤサーバ１５１へ送信する（ステップＳ２９）。
【０１０７】
次に、ＶＯＤサーバ１５１は、動画再生装置１０１から画像要求を受信して、当該画像要求に対応する画像を動画再生装置１０１へ送信する（ステップＳ３０）。
【０１０８】
以後、動画再生装置１０１において早送り再生処理または早戻し再生処理が継続される場合、上記のような画像要求の送信、画像の送信および画像の表示が繰り返される（ステップＳ３１〜Ｓ３３）。
【０１０９】
なお、動画再生装置１０１は、画像要求の送信において（ステップＳ２９およびＳ３２）、さらに、早送り再生処理または早戻し再生処理において出力すべき音声を示す音声要求をＶＯＤサーバ１５１へ送信する構成であってもよい。
【０１１０】
図８および図９は、本発明の実施の形態に係る動画再生装置が提供する動画再生画面の他の例を示す図である。
【０１１１】
表示制御部１３は、操作領域６３としてシークバーを表示し、さらに、シークバーにおけるユーザの選択位置を含むシークバーの一部、を拡大した拡大シークバーを表示する。
【０１１２】
再生処理部１２は、シークモードにおいて、シークバーおよび拡大シークバーに対するユーザの操作に応じて動画の早送り再生処理または早戻し再生処理を行なう。
【０１１３】
具体的には、図８を参照して、表示制御部１３によってディスプレイ１５２に表示される動画再生画面６１は、動画表示領域６２と、操作領域６３と、カーソル６５と、拡大操作領域６６とを含む。
【０１１４】
表示制御部１３は、ユーザが操作領域６３の上にカーソル６５を移動させてマウスをクリックすると、操作領域６３の画面上方に拡大操作領域６６を表示する。
【０１１５】
拡大操作領域６６は、操作領域６３の一部を拡大表示したものであり、たとえば再生ポインタ６４の位置を中間点とする動画の位置範囲に対応している。具体的には、ここでは、操作領域６３における再生ポインタ６４が動画の１０分の位置にあり、拡大操作領域６６は、動画の９分〜１１分の範囲に対応している。
【０１１６】
図９を参照して、ユーザが拡大操作領域６６の上にカーソル６５を移動させると再生ポインタ６７が表示される。ユーザが再生ポインタ６７をマウスでドラッグ等して移動させることにより、操作領域６３における再生ポインタ６４を移動させる場合と比べて、より細かく、動画の再生位置を変更し、任意の位置から再生を開始することができる。
【０１１７】
ところで、非特許文献１に記載の技術では、通常の再生用のデータとは別にサムネイルをサーバ側から取得する必要があるため、特にコンテンツの視聴開始時においてサムネイルの表示に時間がかかる。また、サムネイルのための使用帯域はできるだけ少ない方が好ましいことから、サムネイルのサイズは小さく設定され、見にくい場合が多く、ユーザの使用感は良くない。
【０１１８】
これに対して、本発明の実施の形態に係る動画再生装置では、表示制御部１３は、動画の再生位置を表示する操作領域６３であって、かつ当該再生位置を変更するための操作領域６３を含む動画再生画面６１を表示する。そして、再生処理部１２は、再生モードにおいて、操作領域６３に対するユーザの操作が所定条件を満たすとシークモードへ移行し、シークモードにおいて、操作領域６３に対するユーザの操作に応じて動画の早送り再生処理または早戻し再生処理を行なう。
【０１１９】
このように、再生位置の指定等を行なうシーク処理と連携して早送り再生処理および早戻し再生処理を行なう構成により、ユーザの操作に応答して画像の要求および表示を行なうことができるため、ユーザの操作に対する応答性を向上させることができる。また、早送り再生処理および早戻し再生処理を利用する構成により、通常の再生処理と同等の画質を確保することができる。これにより、ユーザの視聴したい場面の探索がさらに容易となり、また、動画の内容把握がさらに容易となる。
【０１２０】
非特許文献１に記載の技術のようにサムネイルを表示する場合には、サムネイルを、ストリームの送信側の装置においてストリームとは別に作成しておく必要がある。
【０１２１】
これに対して、本発明の実施の形態に係る動画再生装置では、早送り再生処理および早戻し再生処理を行なう構成により、既存の機能を流用することができるため、無駄な機能の追加を防ぎながら、表示画像の画質を向上させることができる。
【０１２２】
また、早送り再生処理および早戻し再生処理は、通常の再生処理と比べて画像が間引いて伝送されるため、ユーザの画像探索による伝送帯域の増大を抑制することができる。
【０１２３】
具体的には、ストリームがＨ．２６４規格に従う場合、通常の再生処理における伝送レートはたとえば３０フレーム／秒である。この場合、早送り再生処理および早戻し再生処理において、たとえばＩフレームを２つ送信および表示するだけで済み、使用帯域を少なくすることができる。
【０１２４】
また、通常の早送り再生処理および早戻し再生処理では、動画の最初から、あるいは再生ポインタの位置から画像を見ていく必要がある。また、たとえば早送り再生処理において画像の再生位置が所望の位置を過ぎてしまった場合に、巻き戻し操作が煩雑となる場合が多い。これに対して、本発明の実施の形態に係る動画再生装置では、操作領域６３に対する簡易な操作で、ユーザが任意の再生位置から、任意の速度で画像を表示することができる。
【０１２５】
また、本発明の実施の形態に係る動画再生装置では、操作検出部１４は、シークモードにおいて、操作領域６３におけるユーザの選択位置の変化を検出する。そして、再生処理部１２は、シークモードにおいて、操作検出部１４によって検出された選択位置の変化に基づいて、動画の早送り再生処理または早戻し再生処理において動画再生画面６１に表示すべき画像を選択する。
【０１２６】
このように、ユーザの選択位置の変化に基づいて、早送り再生処理または早戻し再生処理において表示すべき画像を選択する構成により、ユーザの使用感をより向上させることができる。
【０１２７】
また、本発明の実施の形態に係る動画再生装置では、操作検出部１４は、シークモードにおいて、ユーザの選択位置の移動速度および移動方向を検出する。そして、再生処理部１２は、シークモードにおいて、操作検出部１４によって検出された移動速度および移動方向に基づいて、ユーザの選択位置の移動先を予測し、予測した移動先に対応する画像を、動画の早送り再生処理または早戻し再生処理において動画再生画面６１に表示すべき画像として選択する。
【０１２８】
このような構成により、ユーザの選択位置の移動速度および移動方向に基づいて、早送り再生処理または早戻し再生処理において表示すべき画像を正確に予測し、予め取得することができるため、ユーザに画像表示の遅延を感じさせることを防ぐことができる。すなわち、早送り再生処理および早戻し再生処理において上質な画像表示を実現することができる。
【０１２９】
また、本発明の実施の形態に係る動画再生装置では、再生処理部１２は、シークモードへの移行後、動画再生画面６１において表示すべき画像をＶＯＤサーバ１５１から取得し、取得した画像を用いて動画の早送り再生処理または早戻し再生処理を行なう。
【０１３０】
このように、シークモードへの移行後に、早送り再生処理または早戻し再生処理において表示すべき画像を取得する構成により、再生モードにおいて画像を無駄に保存しておく必要がなくなり、メモリの使用効率を向上させることができる。
【０１３１】
また、本発明の実施の形態に係る動画再生装置では、再生処理部１２は、ネットワーク１６１を介したデータの伝送遅延に基づいて、動画の早送り再生処理または早戻し再生処理において単位時間当たりに表示すべき画像の数を決定してＶＯＤサーバ１５１から取得する。
【０１３２】
このような構成により、ネットワークの伝送遅延および動画提供側の反応に応じて単位時間当たりの画像の表示数を適切に設定することができるため、早送り再生処理または早戻し再生処理における画像の表示遅延を防ぎ、ユーザの使用感を向上させることができる。
【０１３３】
また、本発明の実施の形態に係る動画再生装置では、再生処理部１２は、シークモードにおいて、操作領域６３に対するユーザの操作が所定条件を満たすと再生モードへ移行し、動画の再生処理を行なう。
【０１３４】
このような構成により、再生モードおよびシークモード間の移行をユーザの操作内容に応じて適切に行なうことができる。
【０１３５】
また、本発明の実施の形態に係る動画再生システムでは、まず、動画再生装置１０１が、再生モードにおいて動画をＶＯＤサーバ１５１に要求する。次に、ＶＯＤサーバ１５１が、上記要求を受けて、上記要求に対応する動画を送信する。次に、動画再生装置１０１が、ＶＯＤサーバ１５１から受信した動画の再生を開始する。次に、動画再生装置１０１が、再生モードからシークモードに移行して上記動画を構成する複数の画像の一部をＶＯＤサーバ１５１に要求する。次に、ＶＯＤサーバ１５１が、上記要求を受けて、上記要求に対応する画像を送信する。次に、動画再生装置１０１が、ＶＯＤサーバ１５１から受信した画像を用いて動画の早送り再生処理または早戻し再生処理を行なう。
【０１３６】
このように、早送り再生処理および早戻し再生処理を利用する構成により、通常の再生処理と同等の画質を確保することができる。これにより、ユーザの視聴したい場面の探索がさらに容易となり、また、動画の内容把握がさらに容易となる。
【０１３７】
非特許文献１に記載の技術のようにサムネイルを表示する場合には、サムネイルを、ストリームの送信側の装置においてストリームとは別に作成しておく必要がある。
【０１３８】
これに対して、本発明の実施の形態に係る動画再生システムでは、早送り再生処理および早戻し再生処理を行なう構成により、既存の機能を流用することができるため、無駄な機能の追加を防ぎながら、表示画像の画質を向上させることができる。
【０１３９】
また、早送り再生処理および早戻し再生処理は、通常の再生処理と比べて画像が間引いて伝送されるため、ユーザの画像探索による伝送帯域の増大を抑制することができる。
【０１４０】
具体的には、ストリームがＨ．２６４規格に従う場合、通常の再生処理における伝送レートはたとえば３０フレーム／秒である。この場合、早送り再生処理および早戻し再生処理において、たとえばＩフレームを２つ送信および表示するだけで済み、使用帯域を少なくすることができる。
【０１４１】
なお、本発明の実施の形態に係る動画再生装置の一例としてＳＴＢをあげたが、動画再生装置１０１は、たとえばスマートフォンであってもよい。スマートフォンの場合、ユーザによる細かな操作が可能となるため、たとえばＳＴＢ用の通常のリモコンと比べて、画像探索においてユーザの感覚に合ったきめ細かな表示を行なうことができる。また、動画再生装置１０１がスマートフォンである場合、動画再生画面６１におけるカーソル６５の表示は不要となる。
【０１４２】
また、本発明の実施の形態に係る動画再生装置は、ネットワーク１６１経由でＶＯＤサーバ１５１から画像を取得する構成であるとしたが、これに限定するものではない。動画再生装置１０１は、動画を記憶する記憶部を備え、当該記憶部から動画または画像を取得する構成であってもよい。
【０１４３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１４４】
１１  受信部
１２  再生処理部
１３  表示制御部
１４  操作検出部
１７  送信部
６１  動画再生画面
６２  動画表示領域
６３  操作領域
６５  カーソル
１０１  動画再生装置
１５１  ＶＯＤサーバ
１５２  ディスプレイ
１６１  ネットワーク
２０１  動画再生システム
【図１】
2014107661.tif 000003
【図２】
2014107661.tif 000004
【図３】
2014107661.tif 000005
【図４】
2014107661.tif 000006
【図５】
2014107661.tif 000007
【図６】
2014107661.tif 000008
【図７】
2014107661.tif 000009
【図８】
2014107661.tif 000010
【図９】
2014107661.tif 000011